(57)【特許請求の範囲】
【請求項１】
上板部の周縁部に下向きに周壁部が設けられてなる下向き開口の箱状部材と、
その箱状部材に設けられた操作部と、
前記箱状部材の下端部に固定され、その下端部のほぼ全部にわたる清掃材保持板と、
底板部とその底板部の外周に設けられた外周縁部を有してなり、前記箱状部材の少なくとも下部及び前記清掃材保持板を着脱可能に覆蓋するエラストマー製の覆蓋部材を備えてなり、
前記箱状部材の上板部に、シート状拭材の縁部を上板部の下側に押し込んで保持するための保持部が設けられ、
前記清掃材保持板は、その下面に、清掃材結合部を有し、
前記箱状部材の上板部の下側に箱側連結部が、清掃材保持板に透孔が、前記覆蓋部材の底板部の上側に蓋側連結部が、それぞれ設けられ、前記箱側連結部と前記蓋側連結部が前記透孔を介して連結することにより前記覆蓋部材が前記箱状部材に取り付けられていることを特徴とする清掃用器具。
【請求項２】
清掃材保持板の下面に有する清掃材結合部が、面ファスナの一方の側を構成するアンカー状ファスナ部である請求項１記載の清掃用器具。
【請求項３】
上記透孔の開口が、上記箱側連結部と上記蓋側連結部が前記透孔を介して連結し得る最小の開口であるか又はそれよりもやや大きい開口である請求項１又は２記載の清掃用器具。
【請求項４】
上記保持部が、２以上の弾性板状舌片同士の間又は弾性板状舌片と固定部との間にシート状拭材の縁部を保持するものであり、その保持部が箱状部材に一体に設けられている請求項１、２又は３記載の清掃用器具。
【発明の詳細な説明】
【０００１】
【発明の属する技術分野】
本発明は、不織布製の拭材等のシート状拭材及び清掃用パイル布等の清掃材の何れかをその都度選択して保持して清掃を行うことができる清掃用器具に関する。
【０００２】
【従来の技術及び発明が解決しようとする課題】
柄を備える清掃用ヘッドに不織布製の拭材や清掃用パイル布等を保持することによりモップとして清掃に利用されることが多い。そのため、１つの清掃用器具で、その都度、不織布製の拭材等のシート状拭材か清掃用パイル布等の清掃材の何れかを選択して使用することができる清掃用器具が提供されている。
【０００３】
このような清掃用器具の清掃用ヘッドは、清掃用ヘッド基体の底面に、清掃材を結合する結合部（面ファスナの一方を構成するアンカー状ファスナ部等）を設けると共に、その清掃用ヘッド基体の底面を覆った状態でその清掃用ヘッド基体に結合してシート状拭材使用するための覆蓋部材を有してなる。
【０００４】
ところが、覆蓋部材の清掃用ヘッド基体に対する結合を確実にしようとすると、清掃材を結合する結合部の面積が縮小して清掃材の結合が不確実化するおそれがある。また、覆蓋部材の底面をシート状拭材により覆った状態でシート状拭材の両縁部を保持する保持部を清掃用ヘッド基体の上側に設けることにより形成される凹凸等により清掃用ヘッド自体の清掃が繁雑となりがちであった。
【０００５】
本発明は、従来技術に存した上記のような課題に鑑み行われたものであって、その目的とするところは、清掃用ヘッド基体を容易に製造し得且つその清掃が容易であり、その清掃用ヘッド基体の底面に清掃材を結合する結合部の面積をできるだけ大きく確保して確実に結合保持し得、その清掃材により効率良く清掃することが可能であると共に、その結合部を覆蓋する覆蓋部材を清掃用ヘッド基体に確実に結合させてシート状拭材による清掃を適切に行なうことができる清掃用器具を提供することにある。
【０００６】
【課題を解決するための手段】
上記目的を達成する本発明の清掃用器具は、
上板部の周縁部に下向きに周壁部が設けられてなる下向き開口の箱状部材と、
その箱状部材に設けられた操作部と、
前記箱状部材の下端部に固定され、その下端部のほぼ全部にわたる清掃材保持板と、
底板部とその底板部の外周に設けられた外周縁部を有してなり、前記箱状部材の少なくとも下部及び前記清掃材保持板を着脱可能に覆蓋するエラストマー製の覆蓋部材を備えてなり、
前記箱状部材の上板部に、シート状拭材の縁部を上板部の下側に押し込んで保持するための保持部が設けられ、
前記清掃材保持板は、その下面に、清掃材結合部を有し、
前記箱状部材の上板部の下側に箱側連結部が、清掃材保持板に透孔が、前記覆蓋部材の底板部の上側に蓋側連結部が、それぞれ設けられ、前記箱側連結部と前記蓋側連結部が前記透孔を介して連結することにより前記覆蓋部材が前記箱状部材に取り付けられていることを特徴とする。
【０００７】
箱状部材の上板部の下側に設けられた箱側連結部と、覆蓋部材の底板部の上側に設けられた蓋側連結部は、清掃材保持板の透孔を介して連結するので、清掃材保持板の下面に清掃材結合部が占める面積をできるだけ大きく確保しつつ、確実に箱側連結部と覆蓋部材を結合させることができる。
【０００８】
覆蓋部材を取り外した状態では、清掃材保持板の下面の清掃材結合部に清掃用パイル布等の清掃材を結合させ、清掃材保持板により清掃用パイル布等の清掃材を清掃対象面に押圧しつつ清掃を行うことができる。前記のように清掃材保持板の下面に清掃材結合部が占める面積をできるだけ大きく確保することができるので、清掃材保持板の下面に対する清掃用パイル布等の清掃材の結合をより確実に行なうことができる。また、上板部の周縁部に下向きに周壁部が設けられてなる下向き開口の箱状部材の下端部に、その下端部のほぼ全部にわたる清掃材保持板を固定することにより、清掃用ヘッドの基体を容易に製造し得る。
【０００９】
箱状部材の少なくとも下部及び清掃材保持板を覆蓋するよう覆蓋部材を箱状部材に取り付けた状態では、その覆蓋部材の底板部の底面を不織布製の拭材等のシート状拭材により覆い、そのシート状拭材の縁部（通常は相対する各縁部）を保持部における上板部の下側に押し込んでその保持部に保持して清掃を行うことができる。この場合、エラストマー製の覆蓋部材の底板部の底面によりシート状拭材を清掃対象面に押圧しつつ清掃を行うことができる。シート状拭材の縁部を上板部の下側の箱状部材内部に押し込んで保持するための保持部は、箱状部材の上板部に有するので、上板部の上面をできるだけ平坦に維持しつつシート状拭材の縁部を押し込む空間を箱状部材内に確保してシート状拭材の縁部を保持することができる。
【００１０】
箱状部材は、一般的には合成樹脂製であるが、必ずしもこれに限らない。箱状部材の平面視形状は、例えば略方形状をなすものとすることができる。
【００１１】
箱状部材には、一般的にはその上部中央に、操作部が設けられている。尤も、上部中央に限るものではなく、例えば、上部における何れかの側に偏っていてもよい。操作部としては、例えば、柄、把手等を挙げることができるが、これに限るものではない。柄は、箱状部材に対し、互いにねじれの位置にある第１回動軸部と第２回動軸部を介して連結したり、球面軸受部を介して連結することにより、箱状部材に対し自在な角度をとり得るものとなり、もって清掃作業を円滑化することができる。
【００１２】
箱状部材の上板部には、シート状拭材の縁部を上板部の下側（箱状部材の内部空間内）に押し込んで保持するための保持部が設けられている。シート状拭材というのは、例えば不織布製のものを挙げることができる。
【００１３】
保持部は、例えば、２以上の弾性板状舌片同士の間又は弾性板状舌片と固定部との間にシート状拭材の縁部を保持するものとすることができる。弾性板状舌片というのは、基部において片持ち状に支持され、端部側がほぼ板厚方向に弾性的にたわみ得るものを言う。シート状拭材の縁部を保持する弾性板状舌片又は固定部には、シート状拭材の縁部が引っ掛かり易いような１又は２以上の尖端部を有することが好ましい。
【００１４】
保持部は、箱状部材と別体のものを箱状部材に固定することや、箱状部材に一体に設けることができる。箱状部材を構成する材料を、弾性板状舌片が形成され得る弾性を備えた比較的軟質の合成樹脂等の材料とすることにより、保持部を箱状部材に一体に設けることが可能である。
【００１５】
箱状部材の下端部に固定される清掃材保持板は、その箱状部材の下端部のほぼ全部にわたるものであり、下面の清掃材結合部に保持した清掃材を清掃対象面に対しできるだけ偏りなく押圧し得る程度に比較的剛性が高いよう構成することが好ましい。
【００１６】
清掃材保持板の下面には、清掃材結合部を有する。清掃材としては、清掃用パイル布等を適宜用い得る。清掃材としては、例えばその上部に前記清掃材結合部に対応する結合手段を有するものを用いることができる。清掃材結合部としては、面ファスナの一方の側を構成するアンカー状ファスナ部（例えばフック形状、きのこ形状等をなす小アンカー体を多数満遍無く有してなるもの）が好ましい。この場合、アンカー状ファスナ部を備えた清掃材保持板が、合成樹脂等の一体成形により製造されるものであることが好ましい。清掃材の上部には、アンカー状ファスナ部と共に面ファスナを構成するループ状ファスナ部を有するものとすることができる。
【００１７】
覆蓋部材は、底板部とその底板部の外周に設けられた外周縁部を有してなり、箱状部材の少なくとも下部及び清掃材保持板を、着脱可能に覆蓋するものであり、エラストマー製（好ましくは比較的軟質のエラストマー製）である。覆蓋部材をエラストマー製とするのは、箱状部材の少なくとも下部及び清掃材保持板を覆蓋するよう覆蓋部材を箱状部材に取り付けた状態で、その覆蓋部材の底板部の底面を覆った状態で不織布製の拭材等のシート状拭材により清掃対象面を拭く場合に、シート状拭材を清掃対象面に弾力的に押圧し、清掃効果を高めると共に、清掃対象面や家具等を損傷させないようにするためである。なお、覆蓋部材の底板部の底面の主要部には、シート状拭材による清掃効果をできるだけ高めるために、やや下方に突起した多数の突条を満遍なく有するものとすることができる。突条は、直線状、曲線状又は両者の組み合せでもよい。突条は、例えば、略方形状の覆蓋部材の短手方向に連続する波形状又はジグザグ形状の突条が長手方向に多数並列（例えば同位相で）したものとすることができる。
【００１８】
箱状部材に対する覆蓋部材の取り付けは、箱状部材の上板部の下側に設けた箱側連結部と、覆蓋部材の底板部の上側に設けた蓋側連結部を、清掃材保持板に設けた透孔を介して連結することにより行なわれ、その透孔を介して連結を解除することにより覆蓋部材を箱状部材から取り外すことができる。
【００１９】
箱側連結部と蓋側連結部は、一方を嵌合穴、他方をその嵌合穴に嵌合保持され得且つ嵌合解除が可能な嵌合突起とすることができ、通常は複数設ける。例えば、エラストマー製の覆蓋部材に略円筒状（必ずしも円筒に限らない）の蓋側連結部をそのエラストマーにより一体に立設し、合成樹脂製の箱状部材に、その蓋側連結部の嵌合穴に嵌合保持され得る円柱状（必ずしも円柱に限らない）の箱側連結部をその合成樹脂により一体に立設することができる。なお、エラストマー製の蓋側連結部における嵌合穴の内径を円柱状の箱側連結部の外径よりもやや小さくすると共に、蓋側連結部における嵌合穴内周部に軸方向の溝を１つ（又は２以上）設けることにより、内径の拡大を容易化して嵌合を容易にしながら、嵌合保持力を維持することができる。
【００２０】
清掃材保持板に設ける透孔は、箱側連結部と蓋側連結部がその透孔を介して連結し得る最小の開口であるか又はそれよりもやや大きい開口であることが好ましい。
【００２１】
【発明の実施の形態】
本発明の実施の形態を、図面を参照しつつ説明する。
【００２２】
図１乃至図８は何れも本発明の実施の形態の一例としての清掃用器具に関するものであって、図１は清掃用ヘッドの半断面組立図、図２は清掃材保持板の底面図、図３は覆蓋部材の底面図、図４は覆蓋部材の平面図、図５は清掃用ヘッドの半断面図、図６は清掃用ヘッド基体の半断面図、図７は不織布製のシート状拭材を保持した状態の清掃用器具（すなわちモップ）の斜視図、図８は清掃用パイル布（清掃材）を保持した状態の清掃用器具（すなわちモップ）の斜視図である。
【００２３】
箱状部材１０は、合成樹脂製で、上板部１０ａの周縁部に下向きに周壁部１０ｂが設けられてなる下向き開口の平面視略方形状の箱形状をなす。
【００２４】
箱状部材１０の上板部１０ａの上部中央に、操作部としての柄１２が設けられる。柄１２の基部は、互いにねじれの位置にある第１回動軸部１４（図７及び図８における略左右方向の軸線のまわりに回動する）と第２回動軸部１６（図７及び図８における略前後方向の軸線のまわりに回動する）を介して箱状部材１０の上板部１０ａに連結され、もって、柄１２が箱状部材１０に対し自在な角度をとり得て清掃作業を円滑に行ない得るものとなっている。
【００２５】
箱状部材１０の上板部１０ａの短手方向前後位置における各長手方向左右位置の４箇所に設けられた取付孔１８に、不織布製のシート状拭材２０の縁部２０ａを上板部１０ａの下側に押し込んで保持するための保持部２２が固定されている。保持部２２は、箱状部材１０と別体であり、太線で表された略楕円形状の枠部２２ａの内側に、楕円形状部分を、その中央位置を中心として６分割した扇形状の弾性板状舌片２２ｂが形成されてなる。保持部２２は、その枠部２２ａにおいて取付孔１８に嵌合して固定されている。各弾性板状舌片２２ｂは、円弧状の基部が枠部２２ａに片持ち状に支持され、中央に位置してシート状拭材２０に引っ掛かる尖端部の側がほぼ板厚方向に弾性的にたわみ得るものであり、そのような弾性を実現し得る比較的軟質の合成樹脂により、保持部２２が一体に成形されている。保持部２２は、箱状部材１０の上板部１０ａに有するので、上板部１０ａの上面をできるだけ平坦に維持しつつシート状拭材２０の縁部２０ａを押し込む空間を箱状部材１０内に確保してシート状拭材２０の縁部２０ａを保持することができる。
【００２６】
清掃材保持板２４は、箱状部材１０の下端部に固定され、その下端部のほぼ全部にわたるものであり、図２に示されるように、その底面に、多数のアンカー状ファスナからなるアンカー状ファスナ部２４ａを有し、合成樹脂により一体成形されてなる。使用する清掃用パイル布２６の上部には、アンカー状ファスナ部２４ａと共に面ファスナを構成するループ状ファスナ部（図示せず）を有する。
【００２７】
覆蓋部材２８は、底板部２８ａとその底板部２８ａの外周に設けられて外方に張り出した外周縁部２８ｂを有してなり、箱状部材１０の下部及び清掃材保持板２４を、着脱可能に覆蓋するものである。覆蓋部材２８は、比較的軟質のエラストマーからなるものとすることにより、図５に示されるように箱状部材１０の少なくとも下部及び清掃材保持板２４を覆蓋して清掃用ヘッド２９を構成した覆蓋部材２８の底板部２８ａの底面を、図７に示されるようにシート状拭材２０により覆ってその縁部２０ａを各保持部２２により保持した状態でシート状拭材２０により清掃対象面を拭く場合に、そのシート状拭材２０を清掃対象面に弾力的に押圧して清掃効果を高めると共に、清掃対象面や家具等の損傷が防がれている。覆蓋部材２８の底板部２８ａの底面の主要部には、図３に示されるように、シート状拭材２０による清掃効果をできるだけ高めるために、短手方向に連続する波形状の突条２８ｃが長手方向に同位相で多数並列形成されている。
【００２８】
覆蓋部材２８の底板部２８ａの上側には、図４に示されるように、内部に嵌合穴３０ａを有する略円筒状の蓋側連結部３０が、長手方向両端及び中央の各前後位置の６箇所に立設されている。箱状部材１０の上板部１０ａの下側には、蓋側連結部３０に着脱可能に嵌合保持される円柱状の箱側連結部３２が、６箇所の蓋側連結部３０に対応する位置に立設されている。蓋側連結部３０の上端内周部を面取りし、蓋側連結部３０の嵌合穴３０ａの内径を円柱状の箱側連結部３２の外径よりもやや小さく形成し、嵌合穴３０ａの内周部に軸方向の溝を１つ設けることにより、嵌合の容易化及び嵌合保持力の維持を図っている。
【００２９】
清掃材保持板２４における蓋側連結部３０及び箱側連結部３２に対応する位置に、それぞれ蓋側連結部３０の外径よりもやや大きい内径の透孔３４が設けられている。箱状部材１０に対する覆蓋部材２８の取り付けは、箱側連結部３２と蓋側連結部３０を透孔３４を介して連結することにより行なわれ、その透孔３４を介して連結を解除することにより覆蓋部材２８を箱状部材１０から取り外すことができる。箱側連結部３２と蓋側連結部３０は、清掃材保持板２４の透孔３４を介して連結するので、清掃材保持板２４の下面にアンカー状ファスナ部２４ａが占める面積をできるだけ大きく確保しつつ、確実に箱側連結部３２と覆蓋部材２８を結合させることができる。
【００３０】
図６に示されるように清掃用ヘッド２９から覆蓋部材２８を取り外した清掃用ヘッド基体３６には、図８に示されるように清掃材保持板２４の下面のアンカー状ファスナ部２４ａに清掃用パイル布２６を結合させ、清掃材保持板２４により清掃用パイル布２６を清掃対象面に押圧しつつ清掃を行うことができる。清掃材保持板２４の下面にアンカー状ファスナ部２４ａが占める面積をできるだけ大きく確保することができるので、清掃材保持板２４の下面に対する清掃用パイル布２６の結合をより確実に行なうことができる。また、下向き開口の箱状部材１０の下端部に、その下端部のほぼ全部にわたる清掃材保持板２４を固定することにより、清掃用ヘッド２９の基体を容易に製造し得る。また取り外した覆蓋部材２８は、単独で洗浄することができる。
【００３１】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【００３２】
また、課題を解決するための手段の項において本発明について述べた例示を含む説明は、原則として以上の実施の形態についての記述に適用される。
【００３３】
【発明の効果】
本発明の清掃用器具によれば、清掃材保持板の下面に清掃材結合部が占める面積をできるだけ大きく確保して清掃用パイル布等の清掃材を確実に結合保持し得ると共に、箱側連結部と覆蓋部材を確実に結合させてシート状拭材を保持した状態での清掃を適切に行なうことができる。また、箱状部材の上板部の上面をできるだけ平坦に維持してそれ自体の清掃を容易化しつつシート状拭材の縁部を押し込む空間を箱状部材内に確保してシート状拭材の縁部を保持することができる。更に、下向き開口の箱状部材の下端部に清掃材保持板を固定することにより清掃用ヘッドの基体を容易に製造し得る。
【図面の簡単な説明】
【図１】清掃用ヘッドの半断面組立図である。
【図２】清掃材保持板の底面図である。
【図３】覆蓋部材の底面図である。
【図４】覆蓋部材の平面図である。
【図５】清掃用ヘッドの半断面図である。
【図６】清掃用ヘッド基体の半断面図である。
【図７】不織布製の拭材を保持した状態の清掃用器具の斜視図である。
【図８】清掃用パイル布を保持した状態の清掃用器具の斜視図である。
【符号の説明】
１０    箱状部材
１０ａ  上板部
１０ｂ  周壁部
１２    柄
１４    第１回動軸部
１６    第２回動軸部
１８    取付孔
２０    シート状拭材
２０ａ  縁部
２２    保持部
２２ａ  枠部
２２ｂ  弾性板状舌片
２４    清掃材保持板
２４ａ  アンカー状ファスナ部
２６    清掃用パイル布
２８    覆蓋部材
２８ａ  底板部
２８ｂ  外周縁部
２８ｃ  突条
２９    清掃用ヘッド
３０    蓋側連結部
３０ａ  嵌合穴
３２    箱側連結部
３４    透孔
３６    清掃用ヘッド基体
【図１】
0003611541.tif 000002
【図２】
0003611541.tif 000003
【図３】
0003611541.tif 000004
【図４】
0003611541.tif 000005
【図５】
0003611541.tif 000006
【図６】
0003611541.tif 000007
【図７】
0003611541.tif 000008
【図８】
0003611541.tif 000009